(57)【要約】      （修正有）【課題】防水効果の高い美容皮膚スキニング装置を提供する。【解決手段】美容皮膚スキニング装置は、スキニング装置本体３２０、本体保護ケースおよび密閉部品３１９を含む。スキニング装置本体は超音波刃部と超音波刃部に連結される本体部３２７とを含む。本体保護ケースには第一開口が形成され、本体部は第一開口により本体保護ケースに挿入されかつ超音波刃部が位置している個所まで挿入される。密閉部品は、第一開口により本体保護ケースに連結され、超音波刃部を包囲し、かつ第一開口を密閉させる。本体部の外部に本体保護ケースを取り付け、かつ本体保護ケースの開口に所定の密閉部品を取り付けて開口を密閉させることにより、防水効果を向上できる。【選択図】図１
0003228970.tif 000002
【実用新案登録請求の範囲】
【請求項１】
美容皮膚スキニング装置は、スキニング装置本体（３２０）、本体保護ケース（３０２）および密閉部品（３１９）を含み、
スキニング装置本体（３２０）は超音波刃部（３０６）と前記超音波刃部（３０６）に連結される本体部（３２７）とを含み、
本体保護ケース（３０２）には第一開口が形成され、前記本体部（３２７）は前記第一開口により前記本体保護ケース（３０２）に挿入されかつ前記超音波刃部（３０６）が位置している個所まで挿入され、
密閉部品（３１９）は、前記第一開口により前記本体保護ケース（３０２）に連結され、前記超音波刃部（３０６）を包囲し、かつ前記第一開口を密閉させ、
前記密閉部品（３１９）は超音波刃部防水ケース（３０４）と超音波刃部防水シリコン（３０５）を含み、前記超音波刃部防水シリコン（３０５）は前記超音波刃部防水ケース（３０４）内に取り付けられ、前記超音波刃部防水シリコン（３０５）は超音波刃部（３０６）を包囲しかつ前記超音波刃部防水ケース（３０４）は前記第一開口により前記本体保護ケース（３０２）に連結され、
前記本体部（３２７）は、後部カバー（３０９）、前部カバー（３０８）、メイン回路基板（３１５）、表示回路基板（３１３）、超音波刃部固定シリコン（３１２）、超音波振動部（３０７）を含み、前記メイン回路基板（３１５）の一端には前記表示回路基板（３１３）が連結され、前記メイン回路基板（３１５）、前記表示回路基板（３１３）、前記超音波刃部固定シリコン（３１２）および前記超音波振動部（３０７）は前記前部カバー（３０８）と前記後部カバー（３０９）が結合されることにより形成される収納空間内に収納され、前記超音波刃部固定シリコン（３１２）は前記表示回路基板（３１３）上の前記本体部（３２７）に近づいている一端に取り付けられ、前記超音波振動部（３０７）は前記本体部（３２７）に近づいている前記超音波刃部（３０６）の一端に取り付けられ、前記本体部（３２７）に近づいている前記超音波刃部（３０６）の一端は前記超音波刃部固定シリコン（３１２）により前記表示回路基板（３１３）上に取り付けられかつ前記表示回路基板（３１３）に電気接続され、
前記本体部（３２７）は後部カバー導電接触部品（３１０）を更に含み、前記後部カバー（３０９）の外側には前記後部カバー（３０９）の長さ方向に延伸するストリップ状溝（３４２）が形成され、前記ストリップ状溝（３４２）内には導電貫通孔（３４１）が形成され、前記後部カバー導電接触部品（３１０）はストリップ状底部と前記ストリップ状底部に垂直に形成されかつ前記ストリップ状底部の一側に位置する導電柱体（３３１）とを含み、前記後部カバー導電接触部品（３１０）上の前記ストリップ状底部は前記ストリップ状溝（３４２）内に結合され、前記導電柱体（３３１）は前記導電貫通孔（３４１）を通過することにより前記メイン回路基板（３１５）に電気接続され、前記本体保護ケース（３０２）上にはストリップ状貫通孔（３４３）が形成され、前記ストリップ状貫通孔（３４３）は前記ストリップ状溝（３４２）に対応しかつ前記後部カバー導電接触部品（３１０）の前記ストリップ状底部を露出させることを特徴とする美容皮膚スキニング装置。
【請求項２】
美容皮膚スキニング装置は、スキニング装置本体（３２０）、本体保護ケース（３０２）および密閉部品（３１９）を含み、
スキニング装置本体（３２０）は超音波刃部（３０６）と前記超音波刃部（３０６）に連結される本体部（３２７）とを含み、
本体保護ケース（３０２）には第一開口が形成され、前記本体部（３２７）は前記第一開口により前記本体保護ケース（３０２）に挿入されかつ前記超音波刃部（３０６）が位置している個所まで挿入され、
密閉部品（３１９）は、前記第一開口により前記本体保護ケース（３０２）に連結され、前記超音波刃部（３０６）を包囲し、かつ前記第一開口を密閉させることを特徴とする美容皮膚スキニング装置。
【請求項３】
前記密閉部品（３１９）は超音波刃部防水ケース（３０４）と超音波刃部防水シリコン（３０５）を含み、前記超音波刃部防水シリコン（３０５）は前記超音波刃部防水ケース（３０４）内に取り付けられ、前記超音波刃部防水シリコン（３０５）は前記超音波刃部（３０６）を包囲しかつ前記超音波刃部防水ケース（３０４）は前記第一開口により前記本体保護ケース（３０２）に連結されることを特徴とする請求項２に記載の美容皮膚スキニング装置。
【請求項４】
前記美容皮膚スキニング装置は超音波刃部保護カバー（３０３）を更に含み、前記超音波刃部保護カバー（３０３）には第二開口（３３０）が形成され、前記超音波刃部（３０６）は前記第二開口（３３０）により前記超音波刃部保護カバー（３０３）に挿入され、前記超音波刃部保護カバー（３０３）は前記密閉部品（３１９）上に取り付けられることを特徴とする請求項２に記載の美容皮膚スキニング装置。
【請求項５】
前記本体部（３２７）は、後部カバー（３０９）、前部カバー（３０８）、メイン回路基板（３１５）、表示回路基板（３１３）、超音波刃部固定シリコン（３１２）、超音波振動部（３０７）を含み、前記メイン回路基板（３１５）の一端には前記表示回路基板（３１３）が連結され、前記メイン回路基板（３１５）、前記表示回路基板（３１３）、前記超音波刃部固定シリコン（３１２）および前記超音波振動部（３０７）は前記前部カバー（３０８）と前記後部カバー（３０９）が結合されることにより形成される収納空間内に収納され、前記超音波刃部固定シリコン（３１２）は前記表示回路基板（３１３）上の前記メイン回路基板（３１５）に近づいている一端に取り付けられ、前記超音波振動部（３０７）は前記本体部（３２７）に近づいている前記超音波刃部（３０６）の一端に取り付けられ、前記本体部（３２７）に近づいている前記超音波刃部（３０６）の一端は前記超音波刃部固定シリコン（３１２）により前記表示回路基板（３１３）上に取り付けられかつ前記表示回路基板（３１３）に電気接続されることを特徴とする請求項２に記載の美容皮膚スキニング装置。
【請求項６】
前記本体部（３２７）は超音波刃部加熱モジュール（３２１）を更に含み、前記超音波刃部加熱モジュール（３２１）は前記メイン回路基板（３１５）上に取り付けられかつ前記メイン回路基板（３１５）に電気接続され、前記超音波刃部加熱モジュール（３２１）は前記本体部（３２７）に近づいている前記超音波刃部（３０６）の一端にも連結されることを特徴とする請求項５に記載の美容皮膚スキニング装置。
【請求項７】
前記本体部（３２７）は前記メイン回路基板（３１５）に電気接続される充電ポート（３１６）を更に含み、前記本体保護ケース（３０２）上には第三開口（３４０）が形成され、前記第三開口（３４０）は前記充電ポート（３１６）と対応し、前記美容皮膚スキニング装置は充電ポートカバー（３０１）を更に含み、前記充電ポートカバー（３０１）は前記第三開口（３４０）により前記充電ポート（３１６）に挿入されかつ前記第三開口（３４０）を密閉させることを特徴とする請求項６に記載の美容皮膚スキニング装置。
【請求項８】
前記本体部（３２７）は後部カバー導電接触部品（３１０）を更に含み、前記後部カバー（３０９）の外側には前記後部カバー（３０９）の長さ方向に延伸するストリップ状溝（３４２）が形成され、前記ストリップ状溝（３４２）内には導電貫通孔（３４１）が形成され、前記後部カバー導電接触部品（３１０）はストリップ状底部と前記ストリップ状底部に垂直に形成されかつ前記ストリップ状底部の一側に位置する導電柱体（３３１）とを含み、前記後部カバー導電接触部品（３１０）上の前記ストリップ状底部は前記ストリップ状溝（３４２）内に結合され、前記導電柱体（３３１）は前記導電貫通孔（３４１）を通過することにより前記メイン回路基板（３１５）に電気接続され、前記本体保護ケース（３０２）上にはストリップ状貫通孔（３４３）が形成され、前記ストリップ状貫通孔（３４３）は前記ストリップ状溝（３４２）に対応しかつ前記後部カバー導電接触部品（３１０）の前記ストリップ状底部を露出させることを特徴とする請求項５に記載の美容皮膚スキニング装置。
【請求項９】
前記後部カバー導電接触部品（３１０）の前記ストリップ状底部上には第一位置決め柱体（３３２）と第二位置決め柱体（３３３）が更に形成され、前記第一位置決め柱体（３３２）と前記第二位置決め柱体（３３３）は前記ストリップ状底部上の前記導電柱体（３３１）が位置している一側に位置しかつ前記ストリップ状底部に垂直に形成され、前記第一位置決め柱体（３３２）と前記第二位置決め柱体（３３３）は前記導電柱体（３３１）が前記ストリップ状底部の長さ方向に延伸する両側に位置し、前記ストリップ状溝（３４２）内には第一位置決め孔（３３４）と第二位置決め孔（３３５）が更に形成され、前記第一位置決め孔（３３４）と前記第二位置決め孔（３３５）は前記導電貫通孔（３４１）が前記ストリップ状溝（３４２）の長さ方向に延伸する両側に位置し、前記第一位置決め柱体（３３２）、前記第二位置決め柱体（３３３）と前記第一位置決め孔（３３４）、前記第二位置決め孔（３３５）は１つずつ対応し、前記第一位置決め柱体（３３２）と前記第二位置決め柱体（３３３）は前記第一位置決め孔（３３４）と前記第二位置決め孔（３３５）にそれぞれ挿入されることを特徴とする請求項８に記載の美容皮膚スキニング装置。
【請求項１０】
前記本体部（３２７）は後部カバー導電接触部品の防水シリコン部品（３１１）を更に含み、前記後部カバー導電接触部品の防水シリコン部品（３１１）上には、第一防水孔（３３６）、第二防水孔（３３７）および第三防水孔（３３８）が形成され、前記後部カバー導電接触部品の防水シリコン部品（３１１）は前記後部カバー（３０９）に結合されかつ前記外側と対向する内側に結合され、前記第一位置決め柱体（３３２）、前記導電柱体（３３１）および前記第二位置決め柱体（３３３）は前記第一防水孔（３３６）、前記第二防水孔（３３７）および前記第三防水孔（３３８）にそれぞれ挿入されることを特徴とする請求項９に記載の美容皮膚スキニング装置。
【考案の詳細な説明】
【技術分野】
【０００１】
本考案は、美容技術分野に属し、特に、美容皮膚スキニング装置に関するものである。
【背景技術】
【０００２】
従来の美容皮膚スキニング装置等は携帯型個人美容装置であり、その美容皮膚スキニング装置のケース（またはその本体）は前部カバーと後部カバーが結合される構造を有しており、前部カバーと後部カバーとの間に隙間が形成されるおそれがあるので、防水の要求を満たすことができない。したがって、美容皮膚スキニング装置等を使用するとき、ケース（またはその本体）内に進水することにより美容皮膚スキニング装置が破損され、故障率が増加するおそれがある。
【考案の概要】
【考案が解決しようとする課題】
【０００３】
本考案の実施例において下記美容皮膚スキニング装置を提供することにより、製品の防水性能を向上させ、製品の合格率と安定性を増加させ、製品の使用寿命を延長させることができる。
【課題を解決するための手段】
【０００４】
本考案の実施例において美容皮膚スキニング装置を提供する。その美容皮膚スキニング装置は、スキニング装置本体、本体保護ケースおよび密閉部品を含む。スキニング装置本体は超音波刃部と前記超音波刃部に連結される本体部とを含む。本体保護ケースには第一開口が形成され、前記本体部は前記第一開口により前記本体保護ケースに挿入されかつ前記超音波刃部が位置している個所まで挿入される。密閉部品は、前記第一開口により前記本体保護ケースに連結され、前記超音波刃部を包囲し、かつ前記第一開口を密閉させる。前記密閉部品は超音波刃部防水ケースと超音波刃部防水シリコンを含み、前記超音波刃部防水シリコンは前記超音波刃部防水ケース内に取り付けられ、前記超音波刃部防水シリコンは超音波刃部を包囲しかつ前記超音波刃部防水ケースは前記第一開口により前記本体保護ケースに連結される。前記本体部は、後部カバー、前部カバー、メイン回路基板（３１５）、表示回路基板（３１３）、超音波刃部固定シリコン、超音波振動部を含む。前記メイン回路基板の一端には前記表示回路基板が連結され、前記メイン回路基板、前記表示回路基板、前記超音波刃部固定シリコンおよび前記超音波振動部は前記前部カバーと前記後部カバーが結合されることにより形成される収納空間内に収納される。前記超音波刃部固定シリコンは前記表示回路基板上の前記本体部に近づいている一端に取り付けられ、前記超音波振動部は前記本体部に近づいている前記超音波刃部の一端に取り付けられ、前記本体部に近づいている前記超音波刃部の一端は前記超音波刃部固定シリコンにより前記表示回路基板上に取り付けられかつ前記表示回路基板に電気接続される。前記本体部は後部カバー導電接触部品を更に含み、前記後部カバーの外側には前記後部カバーの長さ方向に延伸するストリップ状溝が形成され、前記ストリップ状溝内には導電貫通孔が形成される。前記後部カバー導電接触部品はストリップ状底部と前記ストリップ状底部に垂直に形成されかつ前記ストリップ状底部の一側に位置する導電柱体とを含む。前記後部カバー導電接触部品上の前記ストリップ状底部は前記ストリップ状溝内に結合され、前記導電柱体は前記導電貫通孔を通過することにより前記メイン回路基板に電気接続される。前記本体保護ケース上にはストリップ状貫通孔が形成され、前記ストリップ状貫通孔は前記ストリップ状溝に対応しかつ前記後部カバー導電接触部品の前記ストリップ状底部を露出させる。
【０００５】
本考案の実施例において、本体部の外部に本体保護ケースを取り付け、かつ本体保護ケースの開口に所定の密閉部品を取り付けることにより開口を密閉させることにより、従来の美容皮膚スキニング装置において前後ケースを結合させるとき前後ケースの間に隙間が形成されることにより防水の要求を満たすことができない問題を解決し、防水の効果を向上させることができる。また、本考案の構造により超音波刃部、メイン回路基板と後部カバー導電接触部品を電気接続させ、使用者が美容皮膚スキニング装置を握って皮膚の保護をするとき、顔、超音波刃部、メイン回路基板、後部カバー導電接触部品、手および顔において電流が流れる電流回路が形成されることができる。その微小電流により筋肉のクランプを抑制し、筋肉の振動を増強させ、筋肉の萎縮を低減し、胸部の血液の流動を増加させ、筋肉の鍛錬をすることができる。また、微小電流により筋肉とリンパを刺激することにより筋肉の収縮を促進し、水腫を抑制し、筋肉を引っ張ることができる。超音波刃部は超音波振動により毛孔内の垢を皮膚の表面に移動させ、かつ垢と余計の皮膚脂肪を乳化させることにより完全に除去することができる。毛孔内の垢を皮膚の表面に移動させた後、高速に振動する超音波刃部により垢を除去することができる。
【０００６】
本考案の実施例において美容皮膚スキニング装置を提供する。その美容皮膚スキニング装置は、スキニング装置本体、本体保護ケースおよび密閉部品を含む。前記スキニング装置本体は超音波刃部と前記超音波刃部に連結される本体部とを含む。本体保護ケースには第一開口が形成され、前記本体部は前記第一開口により前記本体保護ケースに挿入されかつ前記超音波刃部が位置している個所まで挿入される。密閉部品は、前記第一開口により前記本体保護ケースに連結され、前記超音波刃部を包囲し、かつ前記第一開口を密閉させる。
【０００７】
本考案の実施例において、本体部の外部に本体保護ケースを取り付け、かつ本体保護ケースの開口に所定の密閉部品を取り付けることにより開口を密閉させることにより、従来の美容皮膚スキニング装置において前後ケースを結合させるとき前後ケースの間に隙間が形成されることにより防水の要求を満たすことができない問題を解決し、防水の効果を向上させることができる。
【０００８】
本考案の実施例において、前記密閉部品は超音波刃部防水ケースと超音波刃部防水シリコンを含み、前記超音波刃部防水シリコンは前記超音波刃部防水ケース内に取り付けられ、前記超音波刃部防水シリコンは前記超音波刃部を包囲しかつ前記超音波刃部防水ケースは前記第一開口により前記本体保護ケースに連結される。
【０００９】
本考案の実施例において、前記美容皮膚スキニング装置は超音波刃部保護カバーを更に含み、前記超音波刃部保護カバーには第二開口が形成され、前記超音波刃部は前記第二開口により前記超音波刃部保護カバーに挿入され、前記超音波刃部保護カバーは前記密閉部品上に取り付けられる。
【００１０】
本考案の実施例において、前記本体部は、後部カバー、前部カバー、メイン回路基板、表示回路基板、超音波刃部固定シリコン、超音波振動部を含む。前記メイン回路基板の一端には前記表示回路基板が連結され、前記メイン回路基板、前記表示回路基板、前記超音波刃部固定シリコンおよび前記超音波振動部は前記前部カバーと前記後部カバーが結合されることにより形成される収納空間内に収納される。前記超音波刃部固定シリコンは前記表示回路基板上の前記メイン回路基板に近づいている一端に取り付けられ、前記超音波振動部は前記本体部に近づいている前記超音波刃部の一端に取り付けられ、前記本体部に近づいている前記超音波刃部の一端は前記超音波刃部固定シリコンにより前記表示回路基板上に取り付けられかつ前記表示回路基板に電気接続される。
【００１１】
本考案の実施例において、前記本体部は超音波刃部加熱モジュールを更に含み、前記超音波刃部加熱モジュールは前記メイン回路基板上に取り付けられかつ前記メイン回路基板に電気接続され、前記超音波刃部加熱モジュールは前記本体部に近づいている前記超音波刃部の一端にも連結される。
【００１２】
本考案の実施例において、前記本体部は前記メイン回路基板に電気接続される充電ポートを更に含み、前記本体保護ケース上には第三開口が形成され、前記第三開口は前記充電ポートと対応する。前記美容皮膚スキニング装置は充電ポートカバーを更に含み、前記充電ポートカバーは前記第三開口により前記充電ポートに挿入されかつ前記第三開口を密閉させる。
【００１３】
本考案の実施例において、前記本体部は後部カバー導電接触部品を更に含む。前記後部カバーの外側には前記後部カバーの長さ方向に延伸するストリップ状溝が形成され、前記ストリップ状溝内には導電貫通孔が形成される。前記後部カバー導電接触部品はストリップ状底部と前記ストリップ状底部に垂直に形成されかつ前記ストリップ状底部の一側に位置する導電柱体とを含む。前記後部カバー導電接触部品上の前記ストリップ状底部は前記ストリップ状溝内に結合され、前記導電柱体は前記導電貫通孔を通過することにより前記メイン回路基板に電気接続される。前記本体保護ケース上にはストリップ状貫通孔が形成され、前記ストリップ状貫通孔は前記ストリップ状溝に対応しかつ前記後部カバー導電接触部品の前記ストリップ状底部を露出させる。
【００１４】
本考案の実施例において、前記後部カバー導電接触部品の前記ストリップ状底部上には第一位置決め柱体と第二位置決め柱体が更に形成され、前記第一位置決め柱体と前記第二位置決め柱体は前記ストリップ状底部上の前記導電柱体が位置している一側に位置しかつ前記ストリップ状底部に垂直に形成され、前記第一位置決め柱体と前記第二位置決め柱体は前記導電柱体が前記ストリップ状底部の長さ方向に延伸する両側に位置し、前記ストリップ状溝内には第一位置決め孔と第二位置決め孔が更に形成され、前記第一位置決め孔と前記第二位置決め孔は前記導電貫通孔が前記ストリップ状溝の長さ方向に延伸する両側に位置し、前記第一位置決め柱体、前記第二位置決め柱体と前記第一位置決め孔、前記第二位置決め孔は１つずつ対応し、前記第一位置決め柱体と前記第二位置決め柱体は前記第一位置決め孔と前記第二位置決め孔にそれぞれ挿入される。
【００１５】
本考案の実施例において、前記本体部は後部カバー導電接触部品の防水シリコン部品を更に含み、前記後部カバー導電接触部品の防水シリコン部品上には、第一防水孔、第二防水孔および第三防水孔が形成され、前記後部カバー導電接触部品の防水シリコン部品は前記後部カバーに結合されかつ前記外側と対向する内側に結合され、前記第一位置決め柱体、前記導電柱体および前記第二位置決め柱体は前記第一防水孔、前記第二防水孔および前記第三防水孔にそれぞれ挿入される。
【考案の効果】
【００１６】
以上のとおり、本考案の実施例において、本体部の外部に本体保護ケースを取り付け、かつ本体保護ケースの開口に所定の密閉部品を取り付けることにより開口を密閉させることにより、従来の美容皮膚スキニング装置において前後ケースを結合させるとき前後ケースの間に隙間が形成されることにより防水の要求を満たすことができない問題を解決し、防水の効果を向上させることができる。また、本考案の構造により超音波刃部、メイン回路基板と後部カバー導電接触部品を電気接続させ、使用者が美容皮膚スキニング装置を握って皮膚の保護をするとき、顔、超音波刃部、メイン回路基板、後部カバー導電接触部品、手および顔において電流が流れる電流回路が形成されることができる。その微小電流により筋肉のクランプを抑制し、筋肉の振動を増強させ、筋肉の萎縮を低減し、胸部の血液の流動を増加させ、筋肉の鍛錬をすることができる。また、微小電流により筋肉とリンパを刺激することにより筋肉の収縮を促進し、水腫を抑制し、筋肉を引っ張ることができる。超音波刃部は超音波振動により毛孔内の垢を皮膚の表面に移動させ、かつ垢と余計の皮膚脂肪を乳化させることにより完全に除去することができる。毛孔内の垢を皮膚の表面に移動させた後、高速に振動する超音波刃部により垢を除去することができる。超音波刃部で垢を除去するとき、超音波刃部加熱モジュールで超音波刃部を加熱することにより毛孔の打開を促進し、皮膚を損傷させることを低減することができる。
【図面の簡単な説明】
【００１７】
本考案の実施例に係る技術的事項をより詳細に説明するため、以下、本考案の実施例に係る図面を簡単に説明する。注意されたいことは、下記図面は本考案の例示にしか過ぎないものであるため、この技術分野の技術者は創造的な研究をしなくても下記図面により他の図面を想到することができる。
【図１】本考案の実施例に係る美容皮膚スキニング装置を示す分解図である。
【考案を実施するための形態】
【００１８】
以下、本考案の実施例に係る図面により本考案の実施例の技術的事項をより詳細に説明する。下記実施例は本考案の例示にしか過ぎないものであり、本考案のすべての実施例を意味するものでない。本考案の実施例を参照する場合、この技術分野の技術者は創造的な研究をしなくても下記実施例により他の実施例を想到することができ、それらがあっても本考案の実用新案登録請求の範囲に含まれることは勿論である。
【００１９】
図１に示すとおり、本考案の実施例において美容皮膚スキニング装置を提供する。本考案の実施例に係る美容皮膚スキニング装置は、スキニング装置本体３２０、本体保護ケース３０２、密閉部品３１９等を含む。
【００２０】
具体的に、スキニング装置本体３２０は超音波刃部３０６と超音波刃部３０６に連結される本体部３２７とを含む。超音波刃部３０６は例えば皮膚表面の垢を除去することに用いられ、本体部３２７は例えば超音波刃部を取り付けることと超音波刃部が振動するように駆動することに用いられることができる。
【００２１】
本体保護ケース３０２は本体部３２７を保護することに用いられる。例えば防水の機能を奏することにより、美容皮膚スキニング装置の本体部３２７に進水することを避けることができる。図１に示すとおり、本体保護ケース３０２は例えばケースの形状を有している部品であり、その形状は例えば円筒状であることができるが、他の形状例えば円柱形等であることもできる。本考案は前記形状にのみ限定されるものでなく、本体部３２７の防水機能を確保することができる形状であればいずれもよい。本体保護ケース３０２の一端には第一開口（図示せず）が形成されている。本体部３２７は前記第一開口により本体保護ケース３０２に挿入されかつ超音波刃部３０６が位置している個所まで挿入される。すなわち本体保護ケース３０２は本体部３２７の全体を覆い、かつ超音波刃部３０６が位置している個所を覆う。
【００２２】
密閉部品３１９は密閉の機能を奏する。密閉部品３１９は、前記第一開口により前記本体保護ケース３０２に連結され、超音波刃部３０６を包囲し、かつ前記第一開口を密閉させる。すなわち密閉部品３１９は超音波刃部３０６と本体保護ケース３０２との間の第一開口内に取り付けられかつ前記第一開口を密閉させる。その場合、本体保護ケース３０２を本体部３２７の外部に取り付けかつ本体保護ケース３０２の開口に所定の密閉部品を取り付けることにより開口を密閉させることができる。したがって、従来の美容皮膚スキニング装置において前後ケースを結合させるとき前後ケースの間に隙間が形成されることにより防水の要求を満たすことができない問題を解決し、防水の効果を向上させることができる。
【００２３】
図１に示すとおり、密閉部品３１９は超音波刃部防水ケース３０４と超音波刃部防水シリコン３０５を含む。超音波刃部防水シリコン３０５は超音波刃部防水ケース３０４内に取り付けられ、超音波刃部防水シリコン３０５は超音波刃部３０６を包囲する。超音波刃部防水シリコン３０５は従来の常用の密閉材料で製造することができる。超音波刃部防水シリコン３０５の形状は円形シリコンまたはストリップ状シリコン等であることができるが、それらにのみ限定されるものでない。超音波刃部防水ケース３０４は前記第一開口により前記本体保護ケース３０２に連結され、超音波刃部防水ケース３０４と前記本体保護ケース３０２は例えば結合手段により連結されることができる。
【００２４】
図１に示すとおり、美容皮膚スキニング装置は超音波刃部保護カバー３０３を更に含むことができる。超音波刃部保護カバー３０３には第二開口３３０が形成され、超音波刃部３０６は第二開口３３０により超音波刃部保護カバー３０３に挿入され、超音波刃部保護カバー３０３は密閉部品３１９上に取り付けられる。超音波刃部保護カバー３０３は超音波刃部３０６の部位を保護しかつ超音波刃部３０６が破損されることを避けることにより使用寿命を向上させることができる。
【００２５】
図１に示すとおり、本体部３２７は、後部カバー３０９、前部カバー３０８、メイン回路基板３１５、表示回路基板３１３、超音波刃部固定シリコン３１２、超音波振動部３０７を含む。前部カバー３０８と後部カバー３０９が結合されることによりその間に収納空間が形成される。メイン回路基板３１５の一端には表示回路基板３１３が連結され、メイン回路基板３１５、表示回路基板３１３、超音波刃部固定シリコン３１２および超音波振動部３０７は前記収納空間内に収納される。超音波刃部固定シリコン３１２は表示回路基板３１３上においてメイン回路基板３１５に近づいている一端に取り付けられ、超音波振動部３０７は本体部３２７に近づいている超音波刃部３０６の一端に取り付けられる。本体部３２７に近づいている超音波刃部３０６の一端は超音波刃部固定シリコン３１２により表示回路基板３１３上に取り付けられかつ表示回路基板３１３に電気接続される。注意されたいことは、メイン回路基板３１５として例えば従来技術の回路基板を用いることにより超音波振動部３０７が振動するように駆動しかつ超音波刃部３０６を作動させ、それにより皮膚上の垢を除去することができる。メイン回路基板３１５上の回路には例えば超音波生成変圧装置３２２、超音波刃部駆動モジュール３２３、ブザー３２４、バッテリープラグ３２５、電解コンデンサー３２６、バッテリーモジュール３１４等の電子部品が設けられている。例えば、超音波刃部駆動モジュール３２３は超音波振動部３０７に電気接続されることにより超音波振動部３０７が作動するように駆動し、それにより超音波振動部３０７に連結される超音波刃部３０６を振動させることができる。超音波刃部駆動モジュール３２３は他の構造を有している加熱モジュールであることもできるが、本考案はそれらにのみ限定されるものでない。超音波刃部３０６を加熱することができるものであればいずれもよい。ブザー３２４は使用者がパワーを調節するとき音を出すことによりパワーの調節を提示する。バッテリーモジュール３１４は電子装置に電力を供給する。表示回路基板３１３上の具体的な回路構造または接続関係は従来技術の技術的事項を参照することができるので、ここでは再び説明しない。表示回路基板３１３は例えば美容皮膚スキニング装置の作動状態を表示することにより使用者が美容皮膚スキニング装置の作動状態を容易に把握するようにする。表示回路基板３１３は例えばＬＥＤ表示パネル等の電子部品を含むことができる。
【００２６】
図１に示すとおり、本体部３２７は超音波刃部加熱モジュール３２１を更に含むことができる。超音波刃部加熱モジュール３２１はメイン回路基板３１５上に取り付けられかつメイン回路基板３１５に電気接続される。超音波刃部加熱モジュール３２１は本体部３２７に近づいている超音波刃部３０６の一端にも連結される。具体的に、超音波刃部加熱モジュール３２１は加熱体と加熱体に連結されるコンセントを含むことができ、加熱体は超音波刃部３０６に連結され、コンセントはメイン回路基板３１５に電気接続され、メイン回路基板３１５は超音波刃部加熱モジュール３２１に電気接続されることにより超音波刃部加熱モジュール３２１で超音波刃部３０６を加熱するように電気を供給し、熱伝導により超音波刃部３０６を加熱する。加熱される超音波刃部３０６により毛穴の打開を促進させ、美容皮膚スキニング装置を使用するとき皮膚を損傷させることを減少させることができる。
【００２７】
図１に示すとおり、本体部３２７はメイン回路基板３１５に電気接続される充電ポート３１６を更に含むことができる。充電ポート３１６は例えばＵＳＢポートまたは他のポートであることができるが、本考案はそれらにのみ限定されるものでない。具体的に、充電ポート３１６はメイン回路基板３１５上のバッテリーモジュール３１４に電気接続されることによりバッテリーモジュール３１４を充電させることができる。本体保護ケース３０２上には第三開口３４０が形成され、第三開口３４０は充電ポート３１６と対応する。美容皮膚スキニング装置は充電ポートカバー３０１を更に含むことができる。充電ポートカバー３０１は第三開口３４０により充電ポート３１６に挿入されかつ前記第三開口３４０を密閉させる。充電ポートカバー３０１、第三開口３４０と充電ポート３１６が対応するように設けられることによりバッテリーモジュール３１４を充電させることができ、かつ本体部３２７の各部品の防水機能を確保することができる。
【００２８】
図１に示すとおり、本体部３２７は後部カバー導電接触部品３１０を更に含むことができる。後部カバー３０９の外側には後部カバー３０９の長さ方向に延伸するストリップ状溝３４２が形成され、ストリップ状溝３４２内には導電貫通孔３４１が形成されている。後部カバー導電接触部品３１０はストリップ状底部とストリップ状底部に垂直に形成されかつストリップ状底部の一側に位置する導電柱体３３１とを含む。後部カバー導電接触部品３１０上のストリップ状底部は後部カバー３０９の外側のストリップ状溝３４２内に結合され、導電柱体３３１は前記導電貫通孔３４１を通過することによりメイン回路基板３１５に電気接続される。本体保護ケース３０２上にはストリップ状貫通孔３４３が形成され、前記ストリップ状貫通孔３４３は後部カバー３０９のストリップ状溝３４２に対応しかつ後部カバー導電接触部品３１０の前記ストリップ状底部を露出させる。その構造により超音波刃部３０６、メイン回路基板３１５と後部カバー導電接触部品３１０を電気接続させ、使用者が美容皮膚スキニング装置を握って皮膚の保護をするとき、顔、超音波刃部３０６、メイン回路基板３１５、後部カバー導電接触部品３１０、手および顔において電流が流れる電流回路が形成されることができる。その微小電流により筋肉のクランプを抑制し、筋肉の振動を増強させ、筋肉の萎縮を低減し、胸部の血液の流動を増加させ、筋肉の鍛錬をすることができる。また、微小電流により筋肉とリンパを刺激することにより筋肉の収縮を促進し、水腫を抑制し、筋肉を引っ張ることができる。
【００２９】
図１に示すとおり、後部カバー導電接触部品３１０のストリップ状底部上には第一位置決め柱体３３２と第二位置決め柱体３３３が更に形成され、第一位置決め柱体３３２と第二位置決め柱体３３３は前記ストリップ状底部上の導電柱体３３１が位置している一側に位置しかつ前記ストリップ状底部に垂直に形成され、第一位置決め柱体３３２と第二位置決め柱体３３３は導電柱体３３１が前記ストリップ状底部の長さ方向に延伸する両側に位置する。前記ストリップ状溝３４２内には第一位置決め孔３３４と第二位置決め孔３３５が更に形成され、第一位置決め孔３３４と第二位置決め孔３３５は導電貫通孔３４１が前記ストリップ状溝３４２の長さ方向に延伸する両側に位置する。第一位置決め柱体３３２、第二位置決め柱体３３３と第一位置決め孔３３４、第二位置決め孔３３５は１つずつ対応し、第一位置決め柱体３３２と第二位置決め柱体３３３は第一位置決め孔３３４と第二位置決め孔３３５にそれぞれ挿入される。その構造により後部カバー導電接触部品３１０の位置を決めかつ後部カバー導電接触部品３１０を固定させることができるので、後部カバー導電接触部品３１０が緩むか或いは脱落することを避け、後部カバー導電接触部品３１０とメイン回路基板３１５との間の連結の安定性を確保することができる。第一位置決め柱体３３２と第二位置決め柱体３３３の長さは導電柱体３３１の長さより小さいことができる。
【００３０】
図１に示すとおり、本体部３２７は後部カバー導電接触部品の防水シリコン部品３１１を更に含むことができる。後部カバー導電接触部品の防水シリコン部品３１１上には、第一防水孔３３６、第二防水孔３３７および第三防水孔３３８が形成されている。後部カバー導電接触部品の防水シリコン部品３１１は後部カバー３０９に結合されかつ前記外側と対向する内側に結合される。第一位置決め柱体３３２、導電柱体３３１および第二位置決め柱体３３３は第一防水孔３３６、第二防水孔３３７および第三防水孔３３８にそれぞれ挿入される。その構造により水等の液体が本体保護ケース３０２上のストリップ状貫通孔３４３、後部カバー３０９のストリップ状溝３４２により流入し、かつ導電柱体３３１、第一位置決め柱体３３２および第二位置決め柱体３３３等に沿って本体部３２７の内部に流入することを防止することができる。それにより製品の防水性能を向上させ、製品の使用寿命を延長させることができる。
【００３１】
以上のとおり、本考案の実施例において、本体部の外部に本体保護ケースを取り付け、かつ本体保護ケースの開口に所定の密閉部品を取り付けることにより開口を密閉させることにより、従来の美容皮膚スキニング装置において前後ケースを結合させるとき前後ケースの間に隙間が形成されることにより防水の要求を満たすことができない問題を解決し、防水の効果を向上させることができる。また、本考案の構造により超音波刃部、メイン回路基板と後部カバー導電接触部品を電気接続させ、使用者が美容皮膚スキニング装置を握って皮膚の保護をするとき、顔、超音波刃部、メイン回路基板、後部カバー導電接触部品、手および顔において電流が流れる電流回路が形成されることができる。その微小電流により筋肉のクランプを抑制し、筋肉の振動を増強させ、筋肉の萎縮を低減し、胸部の血液の流動を増加させ、筋肉の鍛錬をすることができる。また、微小電流により筋肉とリンパを刺激することにより筋肉の収縮を促進し、水腫を抑制し、筋肉を引っ張ることができる。超音波刃部は超音波振動により毛孔内の垢を皮膚の表面に移動させ、かつ垢と余計の皮膚脂肪を乳化させることにより完全に除去することができる。毛孔内の垢を皮膚の表面に移動させた後、高速に振動する超音波刃部により垢を除去することができる。超音波刃部で垢を除去するとき、超音波刃部加熱モジュールで超音波刃部を加熱することにより毛孔の打開を促進し、皮膚を損傷させることを低減することができる。
【００３２】
注意されたいことは、前記複数の実施例は本考案の例示にしか過ぎないものであるため、技術的特徴の衝突、構造上の矛盾が生ずなく、本考案の目的を違背しない場合、各実施例の技術的事項を任意に組み合わせて用いることができる。
【００３３】
注意されたいことは、本考案の複数の実施例に記載されているシステム、装置および方法は他の方法により実施されることができる。例えば、前記装置の実施例は本考案の例示にしか過ぎないものである。例えば、ユニットを区分するとき、ロジック機能によりユニットを区分することができるが、他の区分方向によりユニットを区分することもできる。例えば、多路ユニットまたはモジュールを結合させるか或いは他のシステムに集積させるか或いは所定の特徴を省略するか或いは実施しないことができる。本考案に記載されるか或いは検討する、部品の間の連結または直接的連結または通信的連結は、ポート、装置またはユニットにより間接的に連結されるか或いは通信的に連結されることを指し、それらは、電気的接続、機械的連結または他の形式の連結であることができる。
【００３４】
分離部品というユニットは機械的分離されている部品または機械的分離されていない部品を意味し、ユニットとして表示する部品は機械的ユニットであるか或いは機械的ユニットでないことができ、それらは１つの位置に設けられるか或いはネットワーク上に配置されることができる。実際の需要により所定の部分または全部を選択することにより本考案の目的を実現することができる。
【００３５】
説明したいことは、前記実施例は本考案の技術的事項を説明するものであるが、本考案を限定するものでない。前記実施例により本考案の技術的事項を説明してきたが、本技術分野の技術者は前記実施例に記載される技術的事項を修正するか或いは前記実施例に記載される一部分の技術的事項を代替することができる。本考案の要旨を逸脱しない範囲内において実施される前記修正または代替があってもそれらが本考案の範囲に含まれることは勿論である。
【図１】
0003228970.tif 000003